(57)【要約】【課題】  従来、後方脚に取付装置を固定する場合、後方脚の径によって取付装置を複数個準備する必要があり、ベビーカーの機種によって取付装置が取付けられない機種があった。【解決手段】  左右のベビーカー後方脚に取付けるための左右の取付装置を有し、取付装置には固定具及び伸長調整具を有し、固定具は固定具ホルダー及び締付バンドを有し、締付バンドは締付固定部及びバンド部を有し、締付バンドの少なくとも一端を固定具ホルダーの中から外に向って突出するように固定具ホルダーにバンド孔を設け、伸長調整具と前記固定具とを分離自在に形成することで、全機種のベビーカーにベビーカー連結体を取付けることができる。【選択図】  図１
2006137358.tif 000002
【特許請求の範囲】
【請求項１】
左右のベビーカー後方脚にベビーカー連結体を取付けるためのベビーカー連結体用取付装置において、
前記ベビーカー後方脚に取付けるための取付装置を有し、
前記取付装置には固定具及び伸長調整具を有し、
前記固定具は固定具ホルダー及び締付バンドを有し、
前記締付バンドは締付固定部及びバンド部を有し、  
前記伸長調整具と前記固定具とを分離自在に形成したことを特徴とするベビーカー連結体用取付装置。
【請求項２】
前記バンド部の少なくとも一端を前記固定具ホルダーの中から外に向って突出するように前記固定具ホルダーにバンド孔を設けた請求項１に記載のベビーカー連結体用取付装置。
【請求項３】
前記バンド部に締付固定部を設けた請求項１または２に記載のベビーカー連結体用取付装置。
【請求項４】
前記バンド部の内面に締付溝部を設け、
該締付溝部と合致した形状を有する締付突起を前記締付固定部の前記バンド部と接する面上に設けた請求項１乃至３のいずれか一つに記載のベビーカー連結体用取付装置。
【請求項５】
前記固定具ホルダーに伸長調整具を取付けるための溝部を設け、
該溝部を覆うように抜け防止部材を設けた請求項１乃至４のいずれか一つに記載のベビーカー連結体用取付装置。
【請求項６】
前記伸長調整具は伸長ホルダーと伸長棒とを有し、
該伸長棒に長さ調整用の嵌合孔を設けた請求項１乃至５のいずれか一つに記載のベビーカー連結体用取付装置。
【請求項７】
前記伸長ホルダーに弾性体によって揺動可能な伸長ボタンを設け、
該伸長ボタンに前記嵌合孔と嵌合する嵌合突起を設け、
該嵌合突起と前記嵌合孔とが嵌合することで伸長棒が固定される請求項６に記載のベビーカー連結体用取付装置。
【請求項８】
前記伸長ホルダーの側面に前記固定具ホルダーの前記溝部に取付けるための固定ピンを設けた請求項６または７に記載のベビーカー連結体用取付装置。
【発明の詳細な説明】
【技術分野】
【０００１】
本発明はベビーカー連結体をベビーカーに取付けるため取付装置に関する。
【背景技術】
【０００２】
図５に示すような、ベビーカー４８の後方下側にベビーカー連結体４９を設け、このベビーカー連結体４９に物や人を載せて運搬する。ベビーカー連結体４９は三角形状の荷受板４５を有し、軸Ｏ３を中心に回転可能に取付けられた車輪によって、荷重（荷受板上にある物や人による）の一部を支え、残る荷重を荷受板４５の三角形状の底辺にあたる部分の両端に設けられた左右の取付装置４６、４７によって支えられている。この取付装置４６、４７の一端は、図６に示すように、軸Ｏ４を中心に荷受板４５に対してボルト等でフレーム（図示せず）に取付けられており、他端はこの取付装置がベビーカー後方脚５０、５１を挟み込むことで、ベビーカー４８に対して動かないように固定することができる。この取付装置は後方脚に固定されており、ベビーカー４８を動かすだけでベビーカー連結体４９もそれに伴なって移動することができ、ベビーカー４８を押す人は、乳児をベビーカーに載せ、幼児を荷受板４５に立たせて２人同時に移動させることができる。このようなベビーカー連結体４９は既に考案されている（例えば、特許文献１参照。）。
【特許文献１】特表２００１−５１８４２６号公報
【発明の開示】
【発明が解決しようとする課題】
【０００３】
しかしながら、後方脚に取付装置を固定する場合、後方脚の径によって取付装置を複数個準備する必要があり、ベビーカーの機種によって取付装置が取付けられない機種があった。また、ベビーカー連結体を取付ける際、ドライバー等の締付工具が必要であった。本願発明は全てのベビーカーにベビーカー連結体を取付けることができるのと共に、締付工具が無くても調整及び取付けができるような、ベビーカー連結体用取付装置を提供することを目的としている。
【課題を解決するための手段】
【０００４】
上記課題を解決するため、本願発明のベビーカー連結体用取付装置は、左右のベビーカー後方脚にベビーカー連結体を取付けるためのベビーカー連結体用取付装置において、前記ベビーカー後方脚に取付けるための取付装置を有し、前記取付装置には固定具及び伸長調整具を有し、前記固定具は固定具ホルダー及び締付バンドを有し、前記締付バンドは締付固定部及びバンド部を有し、前記伸長調整具と前記固定具とを分離自在に形成したことにより、ほぼ全てのベビーカーにベビーカー連結体を取付けることができる。
【０００５】
また、前記バンド部の少なくとも一端を前記固定具ホルダーの中から外に向って突出するように前記固定具ホルダーにバンド孔を設けることにより、ベビーカー後方脚に締付バンドを巻きつけて締付けるときに、余った締付バンドをバンド孔から固定具ホルダーの外へ出すことができる。
【０００６】
また、前記バンド部に締付固定部を設けることで、締付バンドに対応するバンド孔を一つだけにすることができる。
【０００７】
また、前記バンド部の内面に締付溝部を設け、該締付溝部と合致した形状を有する締付突起を前記締付固定部の前記バンド部と接する面上に設けることにより、長さ調整後のバンド部の長さを一定に保つことができる。
【０００８】
また、前記固定具ホルダーに伸長調整具を取付けるための溝部を設け、該溝部を覆うように抜け防止部材を設けることにより、伸長調整具を固定具に確実に取付けることができる。
【０００９】
また、前記伸長調整具は伸長ホルダーと伸長棒とを有し、該伸長棒に長さ調整用の嵌合孔を設けることにより、伸長棒の長さを調整することができる。
【００１０】
また、前記伸長ホルダーに弾性体によって揺動可能な伸長ボタンを設け、該伸長ボタンに前記嵌合孔と嵌合する嵌合突起を設け、該嵌合突起と前記嵌合孔とが嵌合することで伸長棒が固定されることにより、伸長ボタンを押すだけで伸長棒の長さを自由に調整でき、伸長ボタンを離すだけで伸長棒を伸長ホルダーに固定できる。
【００１１】
また、前記伸長ホルダーの側面に前記固定具ホルダーの前記溝部に取付けるための固定ピンを設けることで、固定具の左右方向に伸長調整具を並べて設置することができる。
【発明の効果】
【００１２】
左右の取付装置の固定具ホルダーにバンド孔を設けることで、調整後の余ったバンド部を切断することなく固定具ホルダーの外に出すことができ、伸長調整具を固定具の左右方向に並べて設置することにより、調整後の余ったバンド部の影響を受けないで伸長棒の長さを簡単に調整することができる。
【発明を実施するための最良の形態】
【００１３】
本願発明の一実施形態を、図面を参照しつつ説明する。
【００１４】
図１は、本願発明のベビーカー連結体用取付装置を含むベビーカー連結体の斜視図である。
【００１５】
図１に示すように、ベビーカー連結体１は、左右の筒状のベビーカー後方脚２、４に取付けるための左右の取付装置３、５、及びベビーカーの直進方向に対して左右方向に長い略長方形の荷受板６を有しており、取付装置３、５と荷受板６との間にはそれぞれ棒状の支持アーム７、８が途中で屈折した状態で設けられている。また、荷受板６の下側左右端部近傍にはキャスター付の左右の車輪９、１０が、荷受板６に挿入されて設けられている。これにより、荷受板６は前後左右に動くことができるように構成されている。そして、車輪９と車輪１０との間隔はベビーカーを押す人の両足を揃えた時の幅より広くなるように形成されているのと共に、荷受板６の後側中央部が前側に向かって湾曲している。このため、ベビーカーを押す人がベビーカーを押す際に、踏み出した方の足が車輪９、１０及び荷受板６に当たらないようになっている。また、荷受板６は前側が狭く後側が広くなるように前側に段部１１が形成されており、ベビーカー後方脚２とベビーカー後方脚４との間隔が狭いベビーカーにも対応できるようになっている。一方、後側の広い部分は子供が荷受板６に立ったときに、子供が充分に安定した状態で立っていられるだけの広さ（奥行約１５ｃｍ〜２０ｃｍ、幅約４０ｃｍ〜５０ｃｍ）が設けられている。また、この広い部分の左右両端には前後方向に延びる山状の突起１２が形成されており、荷受板６の上に立っている子供が誤って荷受板から左右方向に滑り落ちるのを防止することができる。そして、荷受板６の前方の段部１１には円筒状のアームコネクター１３が設けられており、アームコネクター１３を回転させることにより荷受板６と支持アーム７、８との角度が調整でき、取付装置３、５の取付角度にかかわらず、荷受板６を地面に対して水平に設定することができるので、子供が荷受板６に安定して立ことができるようになっている。
【００１６】
ここで、左右の取付装置３、５はベビーカーの進行方向の中心線Ｏ１に関して対称であるため、以下、左の取付装置３に関して説明する。
【００１７】
図２は、本願発明のベビーカー連結体用取付装置の拡大斜視図であり、図３は、本願発明のベビーカー連結体用取付装置の分解斜視図である。
【００１８】
図２に示すように、取付装置３は伸長調整具１４、及び固定具１５を有する構成になっており、伸長調整具１４は固定具１５より左外側に位置するようになっている。また、後述するように、この伸長調整具１４には固定具１５側に延びる略円筒状の固定ピン１６が設けられており、固定具１５の上部に固定ピン１６と平行に形成された溝部１７に、固定ピン１６を嵌め込むことで、伸長調整具１４と固定具１５とが分離しないようにすることができる。そして、固定具１５の下部には前後方向に移動可能な締付バンド１８が設けられており、固定具１５の後側にある締付ナット１９を締付けることで締付バンド１８が後側に移動し、伸長調整具１４と固定具１５とが一体となった取付装置３が締付バンド１８によってベビーカー後方脚２に締付けられ、固定されるようになっている。また、伸長調整具１４には前後方向にスライド可能な伸長棒２０が設けられており、この伸長棒２０をスライドさせることで、荷受板６（図１参照）を前後方向にスライドさせることができ、人の歩行の妨げにならないように荷受板６の位置を調整することができるのと共に、ベビーカーに対する子供の立つ位置を調整することも可能である。
【００１９】
ここで、図３により更に詳述すると、伸長調整具１４は伸長ホルダー２１と略四角柱の伸長棒２０を有しており、この伸長ホルダー２１は伸長棒２０を収容できるような空間５２が設けられている。この空間５２は伸長棒２０が前後方向のみに自由に動けるように、伸長棒２０の形状に合致するように形成されている。また、この伸長ホルダー２１の上部には略楕円状の開口部２２が設けられ、この開口部２２に合致するように略楕円状の伸長ボタン２３が嵌め込まれており、円筒状の嵌合突起２４が伸長棒２０の延びる量を調整するために、伸長ボタン２３の下部前方に設けられている。伸長棒２０の上面に前後方向に等間隔で設けられた複数個の嵌合孔２５の内の一つに嵌合することにより、伸長ホルダー２１に対して伸長棒２０を固定することができるように構成されている。そして、この伸長ボタン２３は前後方向の略中心にボタン取付部２６を有し、ボルトまたは、ピン（図示せず）等で伸長ボタン２３を伸長ホルダー２１に取付けられており、伸長ボタン２３はピンを支点として前後方向に揺動できるように構成されている。また、伸長ボタン２３における嵌合突起２４に対してボタン取付部２６を挟んだほぼ対称な位置には、弾性体であるバネ２７が設けられている。このバネ２７の弾性力によって押し上げられた伸長ボタン２３の一方を、ボタン取付部２６を支点として、伸長ボタン２３が揺動し、嵌合突起２４が下降する。これにより、伸長ホルダー２１に挿入して設けられた伸長棒２０の嵌合孔２５に、嵌合突起２４が嵌合し、伸長棒２０が伸長ホルダー２１から抜けないように構成されている。さらに、伸長ホルダー２１の右側面前方部近傍には、伸長ホルダー２１の前後方向と垂直右方向に円筒状の固定ピン１６が設けられており、固定具１５に設けられた溝部１７に取付られることにより、伸長調整具１４と固定具１５とが一体となる。また、固定ピン１６は左方向に溝部１７から抜け出さないように、固定ピン１６の先端部は固定ピン１６の直径及び溝部１７の内径より大きい円盤状の抜け止め３０が設けられている。
【００２０】
この固定具１５は、前後方向に動かすことができる抜け防止部材３１、固定具１５をベビーカー後方脚２に固定するための締付バンド１８、及び締付バンド１８を収容することができる固定具ホルダー３２を有する構成になっている。この抜け防止部材３１は、三角柱状の抜け防止レバー３３と、これに連設された四角柱状の抜け防止基部３４と板状の抜け防止ストッパー部３５とを有している。この抜け防止レバー３３を前後方向に動かすことにより、抜け防止ストッパー部３５が固定具ホルダー３２の内部を前後方向に動くことができるように形成されている。また、固定具ホルダー３２の中の抜け防止部材３１の近傍には弾性体であるバネ（図示せず）が設けられており、この抜け防止部材３１の通常状態においては、バネの力により抜け防止ストッパー部３５が溝部１７の上側を覆うように張り出し、溝部１７に取付けられた固定ピン１６を上方からはずれないように構成されている。また、溝部１７の底部は固定ピン１６の形状に合うように半円筒状に形成されている。そして、固定具ホルダー３２の前面には脚接触部３６が形成され、この脚接触部３６は垂直上下方向に半円筒状に形成されている。そのため、ベビーカー後方脚２が円柱状である場合に、固定具ホルダー３２をベビーカー後方脚２に確実に固定することができるようになっている。また、ベビーカー後方脚２が四角柱である場合にも、固定具ホルダー３２を固定することができるように、脚接触部３６の前後方向の中心軸Ｏ２に対してほぼ対称な位置に、複数の角が直角の切欠部３７が設けられており、切欠部３７の一辺が中心軸Ｏ２とほぼ平行になるように形成されている。
【００２１】
また、締付バンド１８は、ボルト３８などで固定具ホルダー３２に固定するための四角柱状の締付固定部３９、これに連接され略Ｕ字形の長さを調整するための帯状のバンド部４０を有するように形成されている。この締付固定部３９とバンド部４０とは、バンド部４０の一端のみを締付固定部３９の左側で接続され、バンド部４０の他端は自由に動くようになっている。そして、このバンド部４０の内面にはハの字形の締付溝部４１が等間隔で形成されており、締付固定部３９のバンド部４０の対向面に、このハの字形の締付溝部４１と係合するようなハの字形の複数の締付突起４２が形成されている。また、固定具ホルダー３２の内面は締付バンド１８を収容し合致するように四角柱状に切り抜かれており、固定具ホルダー３２の後面の略中央に円形の孔４３を設け、その右側にバンド部４０の断面形状に合致したバンド孔４４を設けられている。これにより、バンド部４０を締付溝部４１と締付突起４２とが合致した状態で固定具ホルダー３２に収容されるようになっている。また、ボルト３８は孔４３を挿通して締付ナット１９と螺合しており、締付バンド１８を固定具ホルダー３２の前方からボルト３８、後方から締付ナット１９で締付けることにより、バンド部４０の内面にあるベビーカー後方脚２（図２参照）を後方向に引き込み、バンド部４０の内面と脚接触部３６とで固定具ホルダー３２を固定することができるようになっている。ここで、寸法（直径または外径）の異なるベビーカー後方脚２に対して、締付溝部４１と締付突起４２との係合位置は変更することができるようになっている。これにより、バンド部４０の内面の寸法（内径）を変更することができ、ベビーカー後方脚２に固定することができる。この際、バンド部４０の内面の寸法が小さい場合余ったバンド部４０が生じるが、バンド孔４４にこの余ったバンド部４０を通すことにより、固定具ホルダー３２をベビーカー後方脚２に支障なく固定することができるように構成されている。また、左右のベビーカー後方脚２、４の距離は、ベビーカーによって異なるが、アームコネクター１３に取付けられた左右の支持アーム７、８とを荷受板６に対して左右方向に移動することにより、左右のベビーカー後方脚２、４の幅に合うように変更することができる。そして、左右のベビーカー後方脚２、４の距離が、左右の支持アーム７、８の左右方向の許容移動範囲以上の場合には、図４に示すように、左側の伸長棒に取付けられている固定具ホルダー２１を右側の伸長棒に取付け、右側の伸長棒に取付けられている固定具ホルダー２１を左側の伸長棒に取付けることことにより、更に広い幅に対応することができるようになっている。
【００２２】
以上のような構成により、ベビーカー連結体１の位置を締付工具（ドライバー等）を使わずに簡単に調整でき、全機種のベビーカーに取付けることができるようになっている。
【産業上の利用可能性】
【００２３】
左右のベビーカー後方脚に、ベビーカー連結体を固定するためのベビーカー連結体用取付装置に利用することができる。
【図面の簡単な説明】
【００２４】
【図１】本願発明のベビーカー連結体用取付装置を含むベビーカー連結体の斜視図である。
【図２】本願発明のベビーカー連結体用取付装置の拡大斜視図である。
【図３】本願発明のベビーカー連結体用取付装置の分解斜視図である。
【図４】本願発明のベビーカー連結体用取付装置の伸長調整具と固定具の位置を入れ替えた時の斜視図である。
【図５】従来のベビーカー連結体用取付装置を含むベビーカー連結体の斜視図である。
【図６】従来のベビーカー連結体用取付装置の分解斜視図である。
【符号の説明】
【００２５】
１  ベビーカー連結体
２、４  ベビーカー後方脚  
３、５  取付装置
６  荷受板
１４  伸長調整具
１５  固定具
１６  固定ピン
１７  溝部
１８  締付バンド
２０  伸長棒
２１  伸長ホルダー
２３  伸長ボタン
３１  抜け防止部材
３２  固定具ホルダー
３９  締付固定部
４０  バンド部
【図１】
2006137358.tif 000003
【図２】
2006137358.tif 000004
【図３】
2006137358.tif 000005
【図４】
2006137358.tif 000006
【図５】
2006137358.tif 000007
【図６】
2006137358.tif 000008